(57)【特許請求の範囲】
【請求項１】
エスカレータ上での乗客の転倒を防止するためのエスカレータ乗客転倒防止装置であって、
手摺が斜行する範囲内のみに於いてエスカレータの手摺に固着される固着手段と、
上記固着手段に連結されて乗客の身体を支持する身体支持手段と、
を備え、
上記固着手段が、
上記手摺上に置かれる本体部および上記本体部から延びて、手摺を掴む把持位置および手摺から離れた非把持位置に可動の把持部を有する把持体と、
上記把持体上に設けられて上記把持体が上記手摺の斜行部分上に置かれていることを検出する斜行検出装置と、
上記把持体の上記本体部に設けられ、上記斜行検出装置により作動されて上記把持体を上記把持位置に移動させる作動装置と、
を有していることを特徴とするエスカレータ乗客転倒防止装置。
【請求項２】
上記斜行検出装置が、
手摺上の直線部分上に置かれたときに外部の光が手摺に遮られて上記把持体の内側が暗くなることを検出する光感知センサと、
手摺の傾斜角度を検出する傾斜感知センサと
を備えたことを特徴とする請求項１記載のエスカレータ乗客転倒防止装置。
【請求項３】
上記斜行検出装置が更に、
手摺上の直線部分上に置かれたときに押圧されて作動するマイクロスイッチ
を備えたことを特徴とする請求項１あるいは２記載のエスカレータ乗客転倒防止装置。
【請求項４】
上記作動装置が、上記把持体に設けられたアマチュアを吸引する電磁ソレノイドであることを特徴とする請求項１乃至３のいずれか一項記載のエスカレータ乗客転倒防止装置。
【請求項５】
上記身体支持手段は、上記固着手段に接続され長さ調節が可能である連結帯を有していることを特徴とする請求項１乃至４のいずれか一項記載のエスカレータ乗客転倒防止装置。
【発明の詳細な説明】
【技術分野】
【０００１】
本発明はエスカレータ乗客転倒防止装置に関するものである。
【背景技術】
【０００２】
エスカレータ装置に於ける乗客転倒防止の問題は、従来から認識されていて、乗客がエスカレータ上で転倒しにくくする提案が幾つかあった。例えば、特許文献１には乗り場に移動手摺とは別個の固定手摺を設けて乗り場でも手摺を掴むことができるようにしたものが記載されている。特許文献２には、移動手摺に複数の引っ掛け部を設けて手が滑るのを防ぐものが開示されている。また非特許文献１には、移動手摺を内側に張り出させると共にその側面を大きくして子供でも欄干固定部に触れないようにすることが提案されている。
【０００３】
【特許文献１】特開２００２−１７９３７６号公報
【特許文献２】特開平７−２７７６５２号公報
【非特許文献１】発明協会公開技報９１−２３５６号
【発明の開示】
【発明が解決しようとする課題】
【０００４】
このような従来のエスカレータ乗客転倒防止装置に於いては、乗客がエスカレータ上で転倒しにくくするのには有効であると考えられるが、いずれも積極的に乗客の身体を支持して転倒を防止するものではない。例えば乗客側の理由で手摺から手が離れてしまった場合にも乗客の身体を支持して転倒を防止できるようなエスカレータ乗客転倒防止装置を開発することが望まれている。
【０００５】
従ってこの発明の目的は、乗客の身体を支持して転倒を防止するためのエスカレータ乗客転倒防止装置を提供することである。
【課題を解決するための手段】
【０００６】
上述の課題を解決するために、本発明によれば、エスカレータ上での乗客の転倒を防止するためのエスカレータ乗客転倒防止装置は、手摺が斜行する範囲内のみに於いてエスカレータの手摺に固着される固着手段と、固着手段に連結されて乗客の身体を支持する身体支持手段とを備えている。
【０００７】
固着手段が、手摺上に置かれる本体部および本体部から延びて、手摺を掴む把持位置および手摺から離れた非把持位置に可動の把持部を有する把持体と、把持体上に設けられて把持体が手摺の斜行部分上に置かれていることを検出する斜行検出装置と、把持体の本体部に設けられ、斜行検出装置により作動されて把持体を把持位置に移動させる作動装置とを備えたものであってもよい。
【発明の効果】
【０００８】
この発明によれば、乗客が必要な時にだけ簡単かつ安全に使用できて、乗客の身体を安全に支持して転倒防止できるエスカレータ乗客転倒防止装置を得ることができる。
【発明を実施するための最良の形態】
【０００９】
実施の形態１．
図１にはこの発明のエスカレータ乗客転倒防止装置の一例を概略的に示す。図に於いて、エスカレータ乗客転倒防止装置は、エスカレータ上での乗客１の転倒を防止するために、エスカレータの手摺２が斜行する範囲内のみに於いてエスカレータの手摺２に固着される固着手段３と、固着手段３に連結されて乗客１の身体を支持する身体支持手段４とを備えている。
【００１０】
図２および図３に良く示されているように、固着手段３は、図５および図６に示すように、手摺２上に置かれて手摺２の上面と側面とを覆うように手摺２に跨ることができるような形状の、全体としてＣ字型断面を持つ矩形の部材である把持体５を備えている。把持体５は、例えば比較的剛性の高いプラスチック等の材料で作られていて、ほぼ矩形平板状の本体部６と、この本体部６の側縁にヒンジ７によって可動に取り付けられた把持部８とを備えている。把持部８は、図５に示すように手摺２の湾曲した側部を間に挟んで「掴む」ように保持した把持位置と、図６に示すように手摺２から離れた解放位置とに可動である。
【００１１】
本体部６および把持部８の内側面には、比較的摩擦が大きく弾性があってエスカレータの手摺２の外周面にぴったりと接触させ得る例えば柔軟なプラスチック製の把持パッド９が設けてある。この把持パッド９は図３に示すように手摺２の延びる方向に対して直角方向に把持体５のほぼ全幅に亘って延びた複数のリブの形をしている。把持パッド９は、本体部６に取付られた部分と把持部８に取り付けられた部分とで２つの別個のリブあるいはパッドにすることもできるし、可動の把持部８だけに設けることもできる。
【００１２】
この可動の把持部８をその内面に設けられた把持パッド９と共に解放位置と把持位置との間で作動させるために、本体部６と把持部８との間に作動装置１０が設けられている。作動装置１０は、本体部６の下面でリブ状の把持パッド９が設けられていない部分に設けられたソレノイド１１と、把持部８の内面でソレノイド１１によって吸引される位置に設けられたアマチュア１２とを備えている。ソレノイド１１は、後に説明する斜行検出装置１３（図３にも示されている）からの信号により本体部６に設けられた電源１４により附勢され、アマチュア１２を吸引して把持部８を図６の解放位置から図５に示す把持位置に移動させ、把持パッド９により手摺２を強い力で掴むようにする。この状態では把持体５は手摺２に摩擦によって強固に固着されることになる。この意味で把持体５、斜行検出装置１３および作動装置１０は、エスカレータの手摺２に固着される固着手段である。斜行検出装置１３からの信号が無くなるとソレノイド１１が消勢されてアマチュア１２が解放され、把持パッド９と手摺２との間の摩擦が減少して、把持体５を手摺２の上で摺動させることができるようになる。
【００１３】
斜行検出装置１３は、把持体５上に設けられて把持体５が手摺２の斜行部分上に置かれていることを検出する手段である。斜行部分とは、図４で固着手段３が(３)の位置にある場合等の、エスカレータの手摺２の直線的に傾斜した部分を意味する。従って、無限循環ベルト状の手摺２の入口（下乗り場）の水平部分(１)は斜行部分ではなく、また水平部分(１)から斜行部分(３)に移る遷移部分(２)、斜行部分(３)の終端の遷移部分(４)、出口（上乗り場）の水平部分(５)および上下の半円形の反転部分(６)も斜行部分ではない。
【００１４】
斜行検出装置１３は、把持体５の本体部６の内面に設けられ、図７および図８に示すような手摺の傾斜を検出する傾斜感知センサである傾斜スイッチ１５を備えている。傾斜スイッチ１５は把持体５の長手方向に配置されていて、本体１６に互いに離間して設けられた２つの固定接点１７および１８と、本体１６から重力の方向に垂下するように例えば枢着支持されて、固定接点１７および１８の間に設けられた可動接点１９とを備えている。傾斜スイッチ１５、従って把持体５が水平姿勢であるときは、図７に示すように、垂下した可動接点１９が２つの固定接点１７および１８のいずれにも接触しないために導通しない。把持体５がエスカレータの斜行部分にあって、図８に示すように傾斜スイッチ１５が傾斜姿勢であるときには、可動接点１９が重力の方向に相対的に移動するため、２つの固定接点１７および１８のいずれか（図では左側の固定接点１７）に接触してスイッチが導通し、この傾斜スイッチ１５の導通状態を知ることにより所定の角度以上の傾斜をしたことが感知できる。
【００１５】
斜行検出装置１３はまた、把持体５が手摺２上の直線部分上（例えば図４で(１)、(３)および(５)の位置）に置かれていることを検出するために、直線部分上では、外部の光が手摺２に遮られて把持体５の内側に届かず暗くなること利用して、本体部６の中央部内面に設けられたフォトダイオード等の光感知センサ２０をも備えている。直線部分以外、例えば遷移部(２)では把持体５の中央部と手摺２との間に間隙ができるため把持体５の内側にも光が届くため、把持体５が直線部分上にあるか否かが感知できる。
【００１６】
斜行検出装置１３は更に、把持体５が手摺２上の直線部分上に置かれていることを検出するために、図３に示すように把持体５の長手方向に離間して複数箇所に設けられ、手摺２により押圧され得て作動するマイクロスイッチ２１、２２および２３をも備えている。図示の例では把持体５の長手方向中心線上に並べて両端と中央に３個のマイクロスイッチが設けられていて、図４の直線部分(１)、(３)および(５)の位置に把持体５が置かれているときに、３つのマイクロスイッチ２１−２３の全てが手摺２の外周面に押圧されて作動し、それ以外の位置では、いずれかが手摺２に押圧されずに作動しないようにされている。従って、３つのマイクロスイッチ２１−２３のオンオフ状態を監視することにより把持体５が直線部分上にあるか否かを感知することができる。
【００１７】
図示の実施の形態の場合には、斜行検出装置１３は、上述の傾斜スイッチ１５と、光感知センサ２０と、マイクロスイッチ２１−２３とを備えていて、これらスイッチおよびセンサからの信号が表す把持体５の状態が、傾斜していて、手摺２上に置かれていて、手摺の直線部分上にある場合にだけ、附勢信号を出し、ソレノイドを電源１４により附勢し、アマチュア１２を吸引して把持部８を図６の解放位置から図５に示す把持位置に移動させ、把持パッド９により手摺２を掴むようにしてある。それ以外の場合には把持部８は解放位置にあるので手摺２に固着されておらず、手摺２上を摺動させることができる。
【００１８】
このような固着手段３は、図示の実施の形態の場合両側の手摺２にそれぞれ一台ずつ置かれているが、必ずしも一本の手摺２に一台配置する必要はなく、左右いずれか一本の手摺２に二台の固着手段３を配置することもできるし、一方の手摺に一台の固着手段３だけを取り付けて使用することもできる。
【００１９】
図示の身体支持手段４は、図１および図９に示されているように、左右の手摺２に一台ずつ設けた固着手段３に連結帯２４により連結されて乗客１の身体を支持する保持体２５を備えている。連結帯２４は一方の固着手段３と保持体２５の一端とに連結されたものと、他方の固着手段３と保持体の他端とに連結されたものとの二本がある。各々の連結帯２４には連結帯２４の一部を巻き込み固定する長さ調節部２６が設けられていて、その長さ調節が可能であるようにしてある。
【００２０】
保持体２５は乗客１の腰部分に宛われて身体を支持できるように幅の広い帯状のものである。図示の保持体２５はほぼ矩形の平板状のものであって、図１のように乗客１がエスカレータを利用して昇る場合には腰部分の背後に宛って背後から支持できるようにされ、また図９のように乗客１が降下する場合には腰部分の前部に宛って前部から支持できるようにされている。保持体２５と連結帯２４との間は永久的に連結することもできるし、適当な金具等によって着脱式にすることもできる。また必要があれば、保持体２５は乗客１の腰部分の周囲を囲む輪帯状にすることもできる。この場合、輪帯はワンタッチで容易に開放できるものとするか、あるいは輪帯状の保持体２５と連結帯２４との間または連結帯２４と固着手段３との間をワンタッチで解放できるものとする。
【００２１】
図１に於いて、乗客１が乗り場に立って本発明のエスカレータ乗客転倒防止装置を利用するには、腰部分の後ろに保持体２５を当て、連結帯２４の長さを調節して固着手段３を手摺２の水平部分に置く（図４の(１)）。この状態では固着手段３は手摺２に固着されずにその上を滑る。このように滑るのは、固着手段３を進めて遷移部分に置いても同じである（図４の(２)）。
【００２２】
乗客１の準備ができたら固着手段３を更に前方に進めて手摺２の斜行部分に乗せる（図４の(３)）と、先に説明した傾斜スイッチ１５と、光感知センサ２０と、マイクロスイッチ２１−２３からの信号が附勢信号となり、ソレノイド１１とアマチュア１２との間の電磁吸引力により把持部８が図６の解放位置から図５に示す把持位置に移動して手摺２を掴む。従って固着手段３は手摺２と共に上昇し、身体支持手段４によって乗客１の身体を背後から支持する。
【００２３】
固着手段が上部遷移部に達すると（図４の(４)）、斜行検出装置１３がもやは固着手段３が斜行する範囲内でなくなったことを検知し、ソレノイド附勢信号が出力されなくなり、把持部８が解放されて再び固着手段３が手摺２上を滑ることができるようになる。固着手段３は僅かな摩擦のために手摺２と共に進んで水平部分に至る（図４の(５)）が、この時点までには乗客１は身体支持手段４から身体を離して自立し、固着手段３を手摺２上から回収することができる。万一固着手段３が上部の遷移部分（図４の(６)）にまで進んで、乗客１がまだエスカレータ上に残っていたとしても、固着手段３は手摺２上を滑るだけであるから何の問題も無い。
【００２４】
下りエスカレータに利用する場合は図９に示してあるが、身体支持手段４が乗客１の腰部分の前部に当てられ、連結帯２４が短くされている他は、昇りエスカレータの場合と同様である。
【００２５】
このように、本発明のエスカレータ乗客転倒防止装置によれば、乗客が必要な時にだけ簡単かつ安全に使用できて、乗客の身体を安全に支持して転倒防止できるエスカレータ乗客転倒防止装置を得ることができる。また固着手段３は手摺２の斜行部分にだけ手摺２に固着され、乗降時には固着手段３が手摺２を解放するので固着手段３がエスカレータの運転を妨げたり、手摺２の移動とともに固着手段３が移動し続けたりすることがない。
【図面の簡単な説明】
【００２６】
【図１】乗客が上昇エスカレータに乗っている場合を示す図であって、この発明のエスカレータ乗客転倒防止装置の実施形態を示す概略斜視図である。
【図２】図１のエスカレータ乗客転倒防止装置の固着手段の概略横断面図である。
【図３】図２の固着手段の概略平面図である。
【図４】エスカレータの手摺上の様々な位置の固着手段を示す動作説明図である。
【図５】固着手段が手摺を掴む閉位置を示す動作説明図である。
【図６】固着手段が手摺を掴んでいない開位置を示す動作説明図である。
【図７】固着手段が傾斜位置の場合の傾斜感知センサを示す概略図である。
【図８】固着手段が水平位置の場合の傾斜感知センサを示す概略図である。
【図９】乗客が下降エスカレータに乗っている場合を示すこの発明のエスカレータ乗客転倒防止装置の概略斜視図である。
【符号の説明】
【００２７】
１    乗客
２    手摺
３    固着手段
４    身体支持手段
５    把持体
６    本体部
７    ヒンジ
８    把持部
９    把持パッド
１０  作動装置
１３  斜行検出装置
２０  光感知センサ
２１  マイクロスイッチ
２５  保持体
【図１】
0004773183.tif 000002
【図２】
0004773183.tif 000003
【図３】
0004773183.tif 000004
【図４】
0004773183.tif 000005
【図５】
0004773183.tif 000006
【図６】
0004773183.tif 000007
【図７】
0004773183.tif 000008
【図８】
0004773183.tif 000009
【図９】
0004773183.tif 000010